(57)【要約】【課題】液晶画面を縦長状態と横長状態とに変化させることができ、かつスタイリッシュな携帯端末を製造可能にするヒンジ機構、および該ヒンジ機構を備えた携帯端末を提供する。【解決手段】携帯端末を構成する第１筐体と第２筐体とが重合する部分に設けられて該第１筐体と第２筐体とを接続するヒンジ機構に、前記第１筐体の重合面に固定されるスライドレールと、該スライドレールに係合して該スライドレール上をスライド移動する中間体と、前記第２筐体の重合面に固定される固定部と、該固定部を前記中間体に回転可能に接続する回転接続部とを備えた。【選択図】図２５
2008092264.tif 000002
【特許請求の範囲】
【請求項１】
携帯端末を構成する第１筐体と第２筐体とが重合する部分に設けられて該第１筐体と第２筐体とを接続するヒンジ機構であって、
前記第１筐体の重合面に固定されるスライドレールと、
該スライドレールに係合して該スライドレール上をスライド移動する中間体と、
前記第２筐体の重合面に固定される固定部と、
該固定部を前記中間体に回転可能に接続する回転接続部とを備えた
ヒンジ機構。
【請求項２】
前記中間体が前記スライドレール上をスライド移動して所定位置に来るまで前記回転接続部による回転を規制する回転規制手段を備えた
請求項１記載のヒンジ機構。
【請求項３】
前記回転接続部の回転と該回転中における前記中間体のスライド移動とを連動させるリンク体を備え、
該リンク体に、前記固定部に連結する固定部側連結部と、
前記回転規制手段による回転規制が解除されたときに前記第１筐体側に連結される第１筐体側連結部とを備えた
請求項２記載のヒンジ機構。
【請求項４】
前記中間体を、前記スライド移動方向に分離可能な第１中間体と第２中間体とで構成し、
第１中間体に、
前記回転規制手段による回転規制が解除されたときに前記第１筐体に位置固定されるロック部と、
前記リンク体の第１筐体側連結部を連結するリンク体連結部とを備えた
請求項３記載のヒンジ機構。
【請求項５】
請求項１から４のいずれか１つに記載のヒンジ機構と第１筐体と第２筐体とを備え、
前記第１筐体の重合面の逆の面に画像を表示する表示手段を備え、
前記第２筐体の重合面に操作入力を許容する入力手段を備えた
携帯端末。
【発明の詳細な説明】
【技術分野】
【０００１】
この発明は、例えば第１筐体と第２筐体が開閉可能に連結された携帯電話機やＰＤＡ等の携帯端末に用いられるようなヒンジ機構および携帯端末に関する。
【背景技術】
【０００２】
従来、携帯端末の一種である携帯電話機には、通話機能に加えて、メール機能、インターネット機能、音楽再生機能など、様々な機能が付加されている。このような携帯電話機は、通話機能を主とする各種機能の利便性を考慮して縦長の液晶画面が設けられている。
【０００３】
近年では、ワンセグと呼ばれる携帯端末用のデジタル放送サービスが開始された事に伴い、テレビ機能の付いた携帯電話機も普及してきている。ここで、テレビを視聴することを考えると、液晶画面は横長の方が好ましい。
【０００４】
この液晶画面を横長にしてテレビを視聴する形態に対応できる携帯電話機として、液晶画面を横長と縦長の両形態に変化させることができる折り畳み型携帯電話機が提案されている（特許文献１参照）。この折り畳み型携帯電話機は、液晶画面を備えた液晶側筐体と、入力キーを備えたキー側筐体とが２つ折に折りたたみ可能に構成され、かつ液晶側筐体における液晶部が回転可能に構成されている。
【０００５】
しかし、前記折り畳み型携帯電話機は、液晶部を回転させるために、該液晶部を回転可能に支持する支持部ユニットの存在が不可欠であり、外観がスタイリッシュではなかった。
【０００６】
【特許文献１】特開２００３−３１９０４３号公報
【発明の開示】
【発明が解決しようとする課題】
【０００７】
この発明は、上述の問題に鑑み、液晶画面を縦長状態と横長状態とに変化させることができ、かつスタイリッシュな携帯端末を製造可能にするヒンジ機構、および該ヒンジ機構を備えた携帯端末を提供することを目的とする。
【課題を解決するための手段】
【０００８】
この発明は、携帯端末を構成する第１筐体と第２筐体とが重合する部分に設けられて該第１筐体と第２筐体とを接続するヒンジ機構であって、前記第１筐体の重合面に固定されるスライドレールと、該スライドレールに係合して該スライドレール上をスライド移動する中間体と、前記第２筐体の重合面に固定される固定部と、該固定部を前記中間体に回転可能に接続する回転接続部とを備えたヒンジ機構であることを特徴とする。  
前記携帯端末は、携帯電話機またはＰＤＡ（Personal Digital Assistants）等、携帯可能な端末で構成することができる。
【０００９】
この発明により、スライド移動と回転とを実行するヒンジ機構を提供することができる。また、第１筐体または第２筐体に液晶画面を設ければ、液晶画面を縦長状態と横長状態とに変化させることができ、かつスタイリッシュな携帯端末をすることができる。
【００１０】
この発明の態様として、前記中間体が前記スライドレール上をスライド移動して所定位置に来るまで前記回転接続部による回転を規制する回転規制手段を備えることができる。  
これにより、スライド移動中に回転することを防止でき、使いやすさを向上することができる。
【００１１】
またこの発明の態様として、前記回転接続部の回転と該回転中における前記中間体のスライド移動とを連動させるリンク体を備え、該リンク体に、前記固定部に連結する固定部側連結部と、前記回転規制手段による回転規制が解除されたときに前記第１筐体側に連結される第１筐体側連結部とを備えることができる。
【００１２】
これにより、回転動作とスライド動作をリンク体で連動させることができ、回転角度とスライド移動量とを制御することができる。このため、回転動作とスライド動作とがバラバラになることなく、安定した動作を実現できる。
【００１３】
またこの発明の態様として、前記中間体を、前記スライド移動方向に分離可能な第１中間体と第２中間体とで構成し、第１中間体に、前記回転規制手段による回転規制が解除されたときに前記第１筐体に位置固定されるロック部と、前記リンク体の第１筐体側連結部を連結するリンク体連結部とを備えることができる。
【００１４】
これにより、スライド移動のみのスライド移動中は機能せず、回転動作とスライド移動を同時に行う回転動作中に機能するリンク体を実現することができる。
【００１５】
またこの発明は、前記ヒンジ機構と第１筐体と第２筐体とを備え、前記第１筐体の重合面の逆の面に画像を表示する表示手段を備え、前記第２筐体の重合面に操作入力を許容する入力手段を備えた携帯端末とすることができる。  
これにより、スライド閉状態、スライド開状態、回転状態の３態様で使用できる携帯端末を提供することができる。
【発明の効果】
【００１６】
この発明により、液晶画面を縦長状態と横長状態とに変化させることができ、かつスタイリッシュな携帯端末を製造可能にするヒンジ機構、および該ヒンジ機構を備えた携帯端末を提供することができる。
【発明を実施するための最良の形態】
【００１７】
この発明の一実施形態を以下図面と共に説明する。  
図１は携帯電話機１を正面側から見た斜視図であり、図２は携帯電話機１を正面側から見た分解斜視図であり、図３は携帯電話機１に設けられるヒンジ装置２を背面側から見た分解斜視図である。
【００１８】
携帯電話機１は、液晶画面などの表示部Ｍが正面に設けられた表示側筐体１ａと、入力キーなどの入力部Ｋが正面に設けられた入力側筐体１ｂとが、上からこの順で重ねられて構成されている。この表示側筐体１ａと入力側筐体１ｂは、ヒンジ装置２によって連結されている。
【００１９】
ヒンジ装置２は、ネジＮによって表示側筐体１ａの背面（重合側の面）に固定されるレールユニット３と、ネジＮによって入力側筐体１ｂの正面（重合側の面）に固定される固定ユニット８と、前記レールユニット３上を上下方向（図２の右上から左下の方向）にスライド移動し前記固定ユニット８を回転可能に支持する中間体４とで構成されている。
【００２０】
表示側筐体１ａは、長方形に形成されており、その背面に、前記レールユニット３を収納できる程度の凹部（図示省略）が設けられている。入力側筐体１ｂは、前記表示側筐体１ａと平面視同一サイズの長方形に形成されており、その長手方向１端部近傍の正面に、前記固定ユニット８を収納できる凹部９が設けられている。
【００２１】
前記中間体４は、スライド移動するスライド移動ユニット６と、スライド移動すると共に所定位置でスライド移動をロックするロックユニット５とがスライド移動方向に並べて配置され、前記スライド移動ユニット６の背面に回転ユニット７が配置されて構成されている。
【００２２】
レールユニット３には孔Ｈ１が設けられており、中間体４には孔Ｈ２が設けられており、固定ユニット８には孔Ｈ３が設けられている。この孔Ｈ１，Ｈ２，Ｈ３に図示省略するケーブルを通すことで、表示側筐体１ａ内の電子機器と入力側筐体１ｂ内の電子機器とを電気的に接続する構成としている。
【００２３】
このように構成された携帯電話機１は、表示部Ｍを見て操作する利用者によって、主に下方（図１に示す左下側）が利用者側に近づき上方（図１に示す右上側）が利用者から離れる状態で保持され使用される。
【００２４】
図４は、レールユニット３を正面側から見た分解斜視図であり、図５は、レールユニット３を背面側から見た分解斜視図である。  
レールユニット３は、表示側筐体１ａ（図２参照）より一回り小さいサイズの長方形の略板状に板金により形成されたベース２１に各部品が取り付けられて構成されている。
【００２５】
ベース２１の２つの長辺には、一直線のガイドレール２２，２２が互いに平行に設けられている。各ガイドレール２２の両端には、抜け止め防止体３７がそれぞれ設けられている。
【００２６】
ベース２１の下方端部近傍には、左右方向の一直線移動を許容するガイド孔２３が設けられている。このガイド孔２３の縁には、ロック部材３３のガイド溝３４が係合する。従ってロック部材３３は、ガイド孔２３の縁に沿って左右方向に一直線に移動する。
【００２７】
ガイド孔２３近傍の背面には、略ヘの字型のバネ２８がリベット２９により取り付けられている。バネ２８の一端２８ａは、ロック部材３３の背面に設けられたバネ係合溝３５に係合され、他端２８ｂはレールユニット３の背面に取り付けられた係止リベット３１に係止される。ロック部材３３の幅方向外側面には、スライドロック用のロック凸部３６が形成されている。また、ロック部材３３の背面には、回転規制解除突起３８が設けられている。
【００２８】
ベース２１の中央の背面右側には、一直線移動を付勢するための略ヘの字型のスライド付勢バネ２６の一端２６ｂがリベット２５で取り付けられている。スライド付勢バネ２６の他端２６ａは、スライド移動ユニット６（図６参照）のリベット１０２に取り付けられる。
【００２９】
図６は中間体４および固定ユニット８を正面側から見た分解斜視図であり、図７は中間体４および固定ユニット８を背面側から見た分解斜視図である。図８は中間体４のロックユニット５を正面側から見た分解斜視図であり、図９は中間体４のロックユニット５を背面側から見た分解斜視図である。図１０は中間体４のスライド移動ユニット６を正面側から見た分解斜視図であり、図１１は中間体４のスライド移動ユニット６を背面側から見た分解斜視図である。図１２は中間体４の回転ユニット７および固定ユニット８を正面側から見た分解斜視図であり、図１３は中間体４の回転ユニット７および固定ユニット８を背面側から見た分解斜視図である。
【００３０】
図６、図７に示すように、中間体４は、ロックユニット５、スライド移動ユニット６、および回転ユニット７により構成されており、回転ユニット７に固定ユニット８が取り付けられる。
【００３１】
図８、図９に示すように、ロックユニット５は、板金により形成されたベース６１に各部品が取り付けられて構成されている。  
ベース６１は、スライド幅方向に長い略長方形の形状で、左右両端にコの字型のガイド係止部６２，６２が設けられている。この各ガイド係止部６２には、樹脂材で形成された断面コの字型のガイド部材７１，７１が左右対称に取り付けられる。ガイド部材７１には、スライド方向に一直線のガイド溝７２が内側に形成されている。２つのガイド部材７１のガイド溝７２は、ガイド部材７１がガイド係止部６２に取り付けられた状態で互いに平行になるように構成されている。
【００３２】
ベース６１の右上方位置には、上方へ向かって突出する平面視コ字型の回転規制突起６６が設けられている。  
ベース６１の左側上面には、ロック部材４１の取付孔４４をリベット４７により取り付ける取付孔６３が設けられている。  
ロック部材４１の左右方向の内側面には、スライドロック用のスライドロック凹部４３が形成されている。
【００３３】
ベース６１の右側上面には、内側から外側へ順に、押圧部材５１を左右方向に一直線移動可能に取り付けるガイド孔６４、および回転部材５６を回転可能に取り付ける軸支孔６５が設けられている。
【００３４】
押圧部材５１は、左側面（内側面）に、スライド方向へ一直線の押圧面５２が形成され、右側面下側に湾曲した湾曲ガイド面５４が形成されている。押圧部材５１の中央少し下方には、リベット７３によりベース６１のガイド孔６４に取り付けるための取付孔５３が形成されている。押圧部材５１の背面には、ベース６１のガイド孔６４に係合するガイド突起５０が形成されている。このガイド突起５０がガイド孔６４に係合することにより、押圧部材５１が回転することなく左右に一直線移動する。
【００３５】
回転部材５６は、円形の一部を切り欠いた形状に形成されており、その切り欠き部分から円外周に繋がる位置に凸状の押圧ガイド面５７が形成されている。回転部材５６の中央には軸孔５８が形成されており、この軸孔５８にリベット５５が挿通されてベース６１の軸支孔６５に回転可能に取り付けられる。回転部材５６の背面にはリンクアーム７５と連動するための連動突起５９が形成されている。
【００３６】
ベース６１の軸支孔６５には、リンクアーム７５の基部も回転可能に取り付けられる。  
リンクアーム７５は、基部に軸孔７７が設けられており、この軸孔７７にリベット５５が挿通されてベース６１の軸支孔６５に回転可能に取り付けられる。リンクアーム７５の基部側の端部には、連動凹部７８が設けられている。この連動凹部７８は、前記回転部材５６の連動突起５９と係合し、これによってリンクアーム７５と回転部材５６が必ず連れ回りするように構成されている。リンクアーム７５の先端部には、固定ユニット８にリベット７９で連結するための軸孔７６が形成されている。
【００３７】
図１０、図１１に示すように、スライド移動ユニット６は、板金により形成されたベース１０１に各部品が取り付けられて構成されている。  
ベース１０１は、スライド幅方向に長い略長方形の形状で、左右両端にコの字型のガイド係止部１０４，１０４が設けられている。この各ガイド係止部１０４には、樹脂材で形成された断面コの字型のガイド部材１１５が左右対称に取り付けられる。ガイド部材１１５には、スライド方向に一直線のガイド溝１１６が内側に形成されている。２つのガイド部材１１５のガイド溝１１６は、ガイド部材１１５がガイド係止部１０４に取り付けられた状態で互いに平行になるように構成されている。  
ベース１０１のスライド方向下側には、回転規制用の回転規制部材８１をスライド方向と直角の幅方向へ一直線移動可能に２つのリベット８９により取り付ける取付孔１０７が形成されている。
【００３８】
回転規制部材８１は、肉厚が略一定の板状部材であり、中央に幅方向へ一直線に長いガイド溝８２が形成されている。このガイド溝８２の幅方向の長さは、２つのリベット８９の取り付け間隔よりも長いため、回転規制部材８１が幅方向に一直線移動可能となっている。回転規制部材８１の右上角には、右方向へ突出する回転規制突起８３が設けられ、回転規制部材８１の左下角の左下方への突出部には、下方の傾斜面８４と左側方の付勢面８５とが設けられている。
【００３９】
取付孔１０７の左側には、スライド付勢バネ２６（図５参照）の他端２６ａを取り付けるリベット１０２を取り付ける取付孔１０５が設けられている。  
前記リベット１０２は、取付孔１０５に正面から挿通されて背面のＥリング１１３で抜け止め固定される。また、リベット１０２は、略ヘの字型の回転規制バネ９１の中央に設けられた弦巻部９４に挿通され、回転規制バネ９１を支持する。
【００４０】
回転規制バネ９１は、一端９２がリベット９７に係止され、他端９３が回転規制部材８１の付勢面８５を幅方向右側へ向けて付勢する。リベット９７は、ベース１０１の取付孔１０５の左側に設けられた取付孔１０３に取り付けられる。
【００４１】
ベース１０１の中央には、中心孔１０８が形成されており、その周囲に４つの取付孔１０６が形成されている。この取付孔１０６にネジ９８をそれぞれ挿入し、該ネジ９８を回転ユニット７（図６参照）の回転ベース１３５のネジ孔１３７に螺入することで、ベース１０１と回転ベース１３５とが固定される。
【００４２】
図１２、図１３に示すように、回転ユニット７は回転ベース１３５に各部品が取り付けられて構成されており、固定ユニット８は板金により形成された固定ベース１７１により形成されている。
【００４３】
回転ベース１３５は、略四角形の板状で中央に円形の軸支筒１３８が形成されており、該軸支筒１３８の周囲に４つのネジ孔１３７が形成されている。軸支筒１３８の外周には、摺動リング１８３が回転可能に取り付けられる。
【００４４】
回転ベース１３５の一辺には、２つの突出部が形成されて該突出部に取付孔１３６がそれぞれ形成されており、他辺には、該他辺に隣り合う両辺側へそれぞれ突出する２つの突出部が形成されて各突出部に挿通孔１４１が形成されている。
【００４５】
回転ベース１３５の取付孔１３６にはリベット１５５が取り付けられ、該リベット１５５がガイド部材１５１の取付孔１５３に取り付けられることで回転ベース１３５とガイド部材１５１が固定される。
【００４６】
ガイド部材１５１は、取り付けられる回転ベース１３５の一辺に沿う長手形状であり、その両端部にガイド孔１５２，１５２がそれぞれ形成されている。各ガイド孔１５２には、バンパー軸１４３，１４３の一端部１４８が挿通される。
【００４７】
バンパー軸１４３，１４３は、回転ベース１３５の取付孔１３６が設けられる一辺と隣り合う両辺にそれぞれ沿うようにして配置される。バンパー軸１４３の一端部１４８より少し他端側には、係止凸部１４７が形成されており、該係止凸部１４７の本体部１４５が弦巻状のバンパーバネ１４６内に挿通される。バンパー軸１４３の他端部には、Ｅリング１２２が取り付けられる取付溝１４４が形成されている。
【００４８】
回転ベース１３５におけるガイド部材１５１と反対側の辺の近傍には、表示側筐体１ａ（図２参照）の回転停止角度を決めるための角度規制部材１２５が配置される。
【００４９】
この角度規制部材１２５は、回転ベース１３５の辺に沿って長手形状に形成されており、その両端部分にそれぞれ取付孔１２６，１２６が形成されている。取付孔１２６，１２６には、上述したバンパー軸１４３の他端が回転ベース１３５の挿通孔１４１に相通した状態で取り付けられ、Ｅリング１２２によってバンパー軸１４３が固定される。角度規制部材１２５の中央には軸支孔１２７が形成されており、この軸支孔１２７に正面側から係合リベット１２１が挿通され、該係合リベット１２１の端部が背面側のローラー１３０の軸孔１３１に固定される。
【００５０】
ここで、角度規制部材１２５と２つのバンパー軸１４３は正面視コの字型となって一体化され、回転ベース１３５とガイド部材１５１も一体化される。このため、角度規制部材１２５およびバンパー軸１４３が回転ベース１３５およびガイド部材１５１に対してバンパー軸１４３の長手方向に一直線に移動可能であり、この一直線の移動がバンパーバネ１４６によって付勢される
回転ベース１３５の背面側には、軸支筒１３８が突出形成されている。この軸支筒１３８の外周には、摺動リング１６２と回転カム１６４とが正面側からこの順で備えられる。
【００５１】
回転カム１６４は、略リング状に形成されており、中央の中心孔１６９に軸支筒１３８が挿通され、該軸支筒１３８と中心孔１６９との間に摺動リング１８３が介装される。これにより、回転カム１６４は軸支筒１３８を中心に滑らかに回転できる。
【００５２】
回転カム１６４の中心孔１６９の周囲には、リベット１６１を挿通して固定ベース１７１に取り付けるための取付孔１６５が４つ配設されている。回転カム１６４の外周には、凹部１６６，１６８が回転軸の軸心に対して互いに９０度の角度位置となるように形成されている。この凹部１６６，１６８の間には、凹部１６６，１６８より外周側に突出した円弧状のガイド面１６７が形成されている。これにより、回転ベース１３５および回転カム１６４が相対回転すると、凹部１６６、ガイド面１６７、および凹部１６８が連なる縁上を、角度規制部材１２５のローラー１３０が転動するように構成されている。
【００５３】
固定ベース１７１は、略円盤型で外周に突出部を複数備えた形状に形成されており、中央に中心孔１７６が形成されている。該中心孔１７６の周辺には、４つの取付孔１７３が形成されている。この取付孔１７３と回転カム１６４の取付孔１６５とに連通してリベット１６１が取り付けられることにより、固定ベース１７１と回転カム１６４が固定される。
【００５４】
固定ベース１７１の外周に設けられた凸部には、入力側筐体１ｂ（図２参照）に取り付け固定するための取付孔１７２が４つ配設されている。この取付孔１７２とは別の凸部に、リンクアーム７５のリベット７９を回転可能に取り付ける軸支孔１７５が設けられている。軸支孔１７５には、略円筒型の回転補助部材１８１が挿通され、この回転補助部材１８１にリベット７９が挿通されてＥリング１８２が取り付けられる。
【００５５】
回転ベース１３５の軸支筒１３８を摺動リング１６２および摺動リング１８３に挿通し、かつ回転カム１６４および固定ベース１７１に軸支筒１３８を挿通して、連結リング１８５を軸支筒１３８の内側に挿通してかしめる。このかしめられた軸支筒１３８の縁１８６、１８７により回転ベース１３５の軸支筒１３８、摺動リング１６２および摺動リング１８３が抜け落ちることを防止し、かつ回転を許容する。
【００５６】
以上に説明したレールユニット３、中間体４、および固定ユニット８を組み合わせることにより、図１４の正面側から見た斜視図、および図１５の背面側から見た斜視図に示すように、ヒンジ装置２が構成される。  
以上の構成のヒンジ装置２および携帯電話機１は、次に説明する動作を実行する。
【００５７】
図１６〜図１９は開閉するヒンジ装置２の各状態の正面図を示し、図２０〜図２３は開閉するヒンジ装置２の各状態の背面図を示し、図２４は開閉するヒンジ装置２の各状態の斜視図を示し、図２５は開閉する携帯電話機１の各状態の斜視図を示す。これら図１６〜図２５において、（Ａ）は閉状態、（Ｂ）はスライド開直前状態、（Ｃ）はスライド開完了状態、（Ｄ）は５度回転状態、（Ｅ）は４５度回転状態、（Ｆ）は９０度回転状態を示す。
【００５８】
（Ａ）に示すように、閉状態のとき、入力側筐体１ｂの上方に位置している中間体４に対して、レールユニット３の上方位置が係合している状態となる。このとき、中間体４のロックユニット５とスライド移動ユニット６は分離不可に連結されており、回転ベース１３５に対して回転カム１６４が回転不可に回転規制されている。
【００５９】
詳述すると、図１６（Ａ）に示すように、回転規制部材８１は回転規制バネ９１によって右方へ付勢されており、回転規制部材８１の右側方の回転規制突起８３がロック部材４１の右上方の回転規制突起６６のコの字部分の内側に当接している。このため、回転規制突起８３が回転規制突起６６にロックされ、ロックユニット５とスライド移動ユニット６がスライド方向へ分離できないように一体化される。
【００６０】
ここで、ロックユニット５とスライド移動ユニット６は、回転ユニット７および固定ユニット８を介してリンクアーム７５により接続されている。このため、ロックユニット５とスライド移動ユニット６が分離移動した際に回転ユニット７およびリンクアーム７５が連動して回転することになる。しかし、ロックユニット５とスライド移動ユニット６が分離できない状態では、回転ユニット７およびリンクアーム７５が回転できず、これらの回転が規制される。
【００６１】
（Ｂ）に示すように、入力側筐体１ｂ（図２５参照）に対して表示側筐体１ａを上方へスライド移動させると、図１６（Ｂ）に示すように中間体４にガイドされたレールユニット３が上方へスライド移動する。このスライド移動の間、回転規制部材８１による回転規制が継続して行われるため、中間体４に対して固定ユニット８が回転できないこととなる。また、スライド付勢バネ２６により、中間点に到達するまでは閉方向（戻り方向）に付勢されており、この状態で利用者が手を離すと閉状態へスライド移動する。中間点を越えると開方向（進行方向）に付勢され、利用者が手を離しても自動で全開状態へスライド移動する。ここで、図１６（Ｂ）に図示するようにスライド開動作が完了する直前になって、ロック部材４１と押圧部材５１の間の空間にロック部材３３が挟まり始める。
【００６２】
（Ｃ）に示すように、レールユニット３が最上方までスライド移動してスライド開動作が完了すると、ロック部材４１と押圧部材５１の間の空間にロック部材３３が完全に挟まり、これらが一連に機能できる状態となる。
【００６３】
また（Ｂ）から（Ｃ）に移行するとき、図１６（Ｂ）に示す回転規制解除突起３８が回転規制部材８１の傾斜面８４に当接し、ここからさらにスライド方向に一直線移動させることで、回転規制解除突起３８が回転規制バネ９１の付勢力に逆らって回転規制部材８１を幅方向左側へ一直線移動させ、（Ｃ）の状態に移行する。これにより、回転規制部材８１の回転規制突起８３が回転規制突起６６と接触しなくなり、ロックユニット５とスライド移動ユニット６が分離可能な状態となる。このため、リンクアーム７５および回転ユニット７が動作できる状態となり、スライド移動ユニット６と固定ユニット８が回転ユニット７により回転可能な状態となる。
【００６４】
この状態に移行することで、図２５（Ｅ），（Ｆ）に示す状態へ変形させるべく、入力側筐体１ｂに対して表示側筐体１ａを回転させることが可能になる。
【００６５】
（Ｄ）に示すように、回転ベース１３５（図２１参照）に対して回転カム１６４が回転し始めると、角度規制部材１２５が幅方向外側へ移動し、ローラー１３０が凹部１６６からガイド面１６７に乗り上げる。
【００６６】
このとき、回転カム１６４の回転により、該回転カム１６４に固定された固定ベース１７１も回転し、該固定ベース１７１に一端が軸支されたリンクアーム７５もヒンジ装置２の幅方向一直線の状態からリベット５５を中心に回転する。つまり、固定ベース１７１の回転中心と、固定ベース１７１とリンクアーム７５の先端部とが回転可能に軸支されるリベット７９の回転中心と、リンクアーム７５の基部がロックユニット５に回転可能に軸支されるリベット５５の回転中心とをこの順で結ぶヘの字型のリンクが構成されているため、このリンク機能により、固定ベース１７１が回転するとリンクアーム７５も回転する。
【００６７】
リンクアーム７５が回転すると、リンクアーム７５の連動凹部７８に連動突起５９が係合している回転部材５６が、図１７（Ｄ）に示すように連れ回りする。この回転部材５６の回転により、回転部材５６の押圧ガイド面５７が押圧部材５１の湾曲ガイド面５４を押圧し、これによって押圧部材５１がロック部材３３へ近づく方向に幅方向へ移動する。押圧部材５１が移動すると、押圧部材５１の押圧面５２にロック部材３３が押圧されてロック部材４１のスライドロック凹部４３へ近づく方向に幅方向へ移動し、ロック部材３３のロック凸部３６（図１４参照）がロック部材４１のスライドロック凹部４３に当接し嵌合する。これにより、レールユニット３に設けられたロック部材３３と、ロックユニット５に設けられたロック部材４１とが引っかかり、ロックユニット５がスライド移動しないようにレールユニット３にスライドロックされる。
【００６８】
（Ｅ）に示すように、表示側筐体１ａと入力側筐体１ｂをさらに回転させると、リンクアーム７５の働きによってスライド移動ユニット６がレールユニット３に対してさらにスライド移動する。
【００６９】
（Ｆ）に示すように、表示側筐体１ａと入力側筐体１ｂをさらに回転させると、リンクアーム７５の働きによってスライド移動ユニット６がレールユニット３に対してさらにスライド移動し、スライド移動ユニット６に回転可能に取り付けられている固定ユニット８の回転中心がレールユニット３の中央位置に位置する。
【００７０】
このとき、図２３（Ｆ）に示すように、ローラー１３０は回転カム１６４の凹部１６８に嵌まり込み、９０度回転した状態で位置固定される。また、リンクアーム７５も９０度回転してヒンジ装置２のスライド方向に一直線の状態となる。なお、バンパーバネ１４６の付勢力の働きにより、回転角度が９０度に近づいた状態からは、ガイド面１６７に乗り上げていたローラー１３０が凹部１６８に落ち込もうとするため、自然に回転して９０度の回転角度に落ち着くことになる。このようにして、携帯電話機１全体が略Ｔ字型の視聴状態となる。
【００７１】
この視聴状態から開状態へ戻る際は、上述した動作と逆の動作を行い、まず（Ｆ）に示す視聴状態から（Ｅ），（Ｄ）の回転状態を経て（Ｃ）に示す開状態となる。
【００７２】
開状態から閉状態へ戻る際も、上述した動作と逆の動作を行い、（Ｃ）に示す開状態から（Ｂ）に示すスライド状態を経て（Ａ）に示す閉状態となる。開状態から閉状態へ向けてスライド移動し始めると、図１７（Ｃ）に示すように回転規制解除突起３８により左側へ押圧されていた回転規制部材８１が、図１６（Ｂ）に示すように回転規制解除突起３８の押圧から開放される。このとき、回転規制バネ９１の付勢力によって回転規制部材８１は回転規制突起６６に係合し、ロックユニット５とスライド移動ユニット６が分離不可能な状態にロックされる。このため、リンクアーム７５および回転ユニット７が動作できない回転規制状態となる。この回転規制状態でスライド移動し、中間体４がレールユニット３の中間点までスライド移動するまでは、バネ２８（図４参照）の付勢力によって開状態へ戻ろうとし、中間体４がレールユニット３の中間点を超えるとバネ２８の付勢力によって閉状態へ自動でスライドする。
【００７３】
以上に説明した構成と動作により、表示側筐体１ａと入力側筐体１ｂとのスライド開閉、および表示側筐体１ａの９０度回転を実現することができる。  
表示側筐体１ａと入力側筐体１ｂとがスライド移動している間は、回転規制部材８１等の働きによって回転規制されるため、表示側筐体１ａが意図せず回転してしまうことなく安定してスライド開閉を行うことができる。
【００７４】
また、全開状態に移行した後は、入力側筐体１ｂに対して表示側筐体１ａを回転させることができる。このとき、ロックユニット５のロックと、リンクアーム７５の働きにより、スライド移動ユニット６が戻り方向にスライド移動しながら回転するため、９０度回転した状態で表示側筐体１ａの長手方向中心位置が入力側筐体１ｂに取り付けられている状態となり、表示側筐体１ａが左右対称となる。この状態では、表示部Ｍが横長となるため、利用者はテレビなどを見やすい状態で視聴することができる。このように、表示側筐体１ａが左右の一方に突出したような回転となることがなく、携帯電話機１全体が略Ｔ字型となるバランスの良い視聴状態を提供することができる。
【００７５】
全開状態から９０度回転した視聴状態まで回転する間は、リンクアーム７５によってスライド移動量が規制されるため、安定した回転およびスライドを実現することができる。
【００７６】
従来のように表示側筐体１ａの背面側に回転支持するための支持ユニットが別途必要となることがないため、図２５に示したようにスタイリッシュな携帯電話機１を提供することができる。つまり、外観上は表示側筐体１ａと入力側筐体１ｂが見えるだけであり、ヒンジ装置２が外に現れないため、シンプルで美しい携帯電話機１を提供することができる。
【００７７】
この発明の構成と、上述の実施形態との対応において、
この発明の携帯端末は、実施形態の携帯電話機１に対応し、
以下同様に、
第１筐体は、表示側筐体１ａに対応し、
第１筐体の重合面は、表示側筐体１ａの背面に対応し、
第２筐体は、入力側筐体１ｂに対応し、
第２筐体の重合面は、入力側筐体１ｂの正面に対応し、
重合する部分は、表示側筐体１ａと入力側筐体１ｂとが重なる部分に対応し、
ヒンジ機構は、ヒンジ装置２に対応し、
スライドレールは、レールユニット３に対応し、
第１中間体は、ロックユニット５に対応し、
第２中間体は、スライド移動ユニット６に対応し、
固定部は、固定ユニット８に対応し、
回転規制手段は、回転規制突起６６および回転規制部材８１の回転規制突起８３に対応し、
ロック部は、ロック部材４１のスライドロック凹部４３、押圧部材５１、および回転部材５６に対応し、
リンク体連結部は、軸支孔６５に対応し、
リンク体は、リンクアーム７５に対応し、
固定部側連結部は、軸孔７６に対応し、
第１筐体側連結部は、軸孔７７に対応し、
回転接続部は、回転ベース１３５および回転カム１６４に対応し、
表示手段は、表示部Ｍに対応し、
入力手段は、入力部Ｋに対応し、
所定位置は、図１７（Ｃ）に示す全開状態の位置に対応するが、
この発明は、上述の実施形態の構成のみに限定されるものではなく、多くの実施の形態を得ることができる。
【図面の簡単な説明】
【００７８】
【図１】携帯電話機を正面側から見た斜視図。
【図２】携帯電話機を正面側から見た分解斜視図。
【図３】携帯電話機に設けられるヒンジ装置を背面側から見た分解斜視図。
【図４】レールユニットを正面側から見た分解斜視図。
【図５】レールユニットを背面側から見た分解斜視図。
【図６】中間体および固定ユニットを正面側から見た分解斜視図。
【図７】中間体および固定ユニットを背面側から見た分解斜視図。
【図８】中間体のロックユニットを正面側から見た分解斜視図。
【図９】中間体のロックユニットを背面側から見た分解斜視図。
【図１０】中間体のスライド移動ユニットを正面側から見た分解斜視図。
【図１１】中間体のスライド移動ユニットを背面側から見た分解斜視図。
【図１２】中間体の回転ユニットおよび固定ユニットを正面側から見た分解斜視図。
【図１３】中間体の回転ユニットおよび固定ユニットを背面側から見た分解斜視図。
【図１４】ヒンジ装置を正面側から見た斜視図。
【図１５】ヒンジ装置を背面側から見た斜視図。
【図１６】閉状態とスライド開直前状態のヒンジ装置の正面図。
【図１７】スライド開完了状態と５度回転状態のヒンジ装置の正面図。
【図１８】４５度回転状態のヒンジ装置の正面図。
【図１９】９０度回転状態のヒンジ装置の正面図。
【図２０】閉状態とスライド開直前状態のヒンジ装置の背面図。
【図２１】スライド開完了状態と５度回転状態のヒンジ装置の背面図。
【図２２】４５度回転状態のヒンジ装置の背面図。
【図２３】９０度回転状態のヒンジ装置の背面図。
【図２４】開閉するヒンジ装置の各状態の斜視図。
【図２５】開閉する携帯電話機の各状態の斜視図。
【符号の説明】
【００７９】
１…携帯電話機
１ａ…表示側筐体
１ｂ…入力側筐体
２…ヒンジ装置
３…レールユニット
４…中間体
５…ロックユニット
６…スライド移動ユニット
８…固定ユニット
４１…ロック部材
４３…スライドロック凹部
５１…押圧部材
５６…回転部材
６５…軸支孔
６６…回転規制突起
７５…リンクアーム
７６…軸孔
７７…軸孔
８３…回転規制突起
１２１…係合リベット
１３５…回転ベース
１６４…回転カム
Ｍ…表示部
Ｋ…入力部
【図１】
2008092264.tif 000003
【図２】
2008092264.tif 000004
【図３】
2008092264.tif 000005
【図４】
2008092264.tif 000006
【図５】
2008092264.tif 000007
【図６】
2008092264.tif 000008
【図７】
2008092264.tif 000009
【図８】
2008092264.tif 000010
【図９】
2008092264.tif 000011
【図１０】
2008092264.tif 000012
【図１１】
2008092264.tif 000013
【図１２】
2008092264.tif 000014
【図１３】
2008092264.tif 000015
【図１４】
2008092264.tif 000016
【図１５】
2008092264.tif 000017
【図１６】
2008092264.tif 000018
【図１７】
2008092264.tif 000019
【図１８】
2008092264.tif 000020
【図１９】
2008092264.tif 000021
【図２０】
2008092264.tif 000022
【図２１】
2008092264.tif 000023
【図２２】
2008092264.tif 000024
【図２３】
2008092264.tif 000025
【図２４】
2008092264.tif 000026
【図２５】
2008092264.tif 000027